(57)【要約】【課題】無線子機がレガシー機である場合にも対応しつつ、無線環境における雑音や干渉、障害物に対する反射等の影響を防止することができる通信帯域選択システムを提供することを目的とする。【解決手段】無線ＬＡＮシステムにおいて子機が優先的に使用する優先周波数帯を特定する優先周波数帯特定手段１００と、親機が使用している使用周波数帯を特定する使用周波数帯特定手段１０１と、優先周波数帯特定手段１００が特定した優先周波数帯と、使用周波数帯特定手段１０１が特定した使用周波数帯とが合致するか否かを判定する周波数帯判定手段１０２と、周波数帯判定手段１０２の判定結果に基づいて使用する周波数帯を選択する周波数帯選択手段１０３とを含む。【選択図】図８
2011228988.tif 000002
【特許請求の範囲】
【請求項１】
無線ＬＡＮシステムにおいて子機が優先的に使用する優先周波数帯を特定する優先周波数帯特定手段と、
親機が使用している使用周波数帯を特定する使用周波数帯特定手段と、
前記優先周波数帯特定手段が特定した前記優先周波数帯と、前記使用周波数帯特定手段が特定した前記使用周波数帯とが合致するか否かを判定する周波数帯判定手段と、
前記周波数帯判定手段の判定結果に基づいて使用する周波数帯を選択する周波数帯選択手段とを
含むことを特徴とする通信帯域選択システム。
【請求項２】
周波数帯選択手段は、周波数帯判定手段が合致すると判定した場合に、周波数帯の切替を行わずに親機が使用している使用周波数帯域をそのまま選択する
請求項１記載の通信帯域選択システム。
【請求項３】
周波数帯選択手段は、周波数帯判定手段が合致しないと判定した場合に、親機が使用していない周波数帯を選択する
請求項１又は請求項２記載の通信帯域選択システム。
【請求項４】
周波数帯選択手段が選択した周波数帯を表示部に表示するように制御する表示制御手段を含む
請求項１から請求項３のうちのいずれか１項に記載の通信帯域選択システム。
【請求項５】
周波数帯選択手段が選択した周波数帯をユーザの操作に従って変更する周波数帯変更手段を含み、
表示制御手段は、前記周波数帯変更手段が変更した周波数帯を表示部に表示するように制御する
請求項１から請求項４のうちのいずれか１項に記載の通信帯域選択システム。
【請求項６】
無線ＬＡＮシステムにおいて子機が優先的に使用する優先周波数帯を特定する優先周波数帯特定手段と、
親機が使用している使用周波数帯を特定する使用周波数帯特定手段と、
前記優先周波数帯特定手段が特定した前記優先周波数帯と、前記使用周波数帯特定手段が特定した前記使用周波数帯とが合致するか否かを判定する周波数帯判定手段と、
前記周波数帯判定手段の判定結果に基づいて使用する周波数帯を選択する周波数帯選択手段とを
備えたことを特徴とする通信帯域選択装置。
【請求項７】
無線ＬＡＮシステムにおいて子機が優先的に使用する優先周波数帯を特定し、
親機が使用している使用周波数帯を特定し、
特定した前記優先周波数帯と、特定した前記使用周波数帯とが合致するか否かを判定し、
判定結果に基づいて使用する周波数帯を選択する
ことを特徴とする通信帯域選択方法。
【発明の詳細な説明】
【技術分野】
【０００１】
本発明は、無線通信の通信帯域を選択する通信帯域選択システム、通信帯域選択装置及び通信帯域選択方法に関する。
【背景技術】
【０００２】
無線通信は、ＩＥＥＥ８０２．１１ａ（５４Ｍｂｐｓ）、１１ｂ（１１Ｍｂｐｓ）、１１ｇ（５４Ｍｂｐｓ）、１１ｎ（３００Ｍｂｐｓ）にて規格化された無線方式とマルチアンテナ技術とにより高速化が図られてきた。
【０００３】
しかし、マルチアンテナ技術には、空間上に信号の通り道を増やす効果があるが、干渉の発生や、壁や障害物からの電波反射による雑音が増えるという特徴がある。
【０００４】
これらに対応するための技術として、例えば、特許文献１には、同一端末内の複数の無線機を同時に動作させても、各無線機の間で干渉の発生を回避するシステムが記載されている。
【先行技術文献】
【特許文献】
【０００５】
【特許文献１】特開２００９−０６０２５０号公報
【発明の概要】
【発明が解決しようとする課題】
【０００６】
無線通信では、ＩＥＥＥ８０２．１１にて標準化された方式で、各種変調方式や空間多重方式の採用により多帯域での使用向上が図られている。また、無線通信環境において雑音や干渉、障害物に対する反射等の影響から、ＨＤＴＶ（Ｈｉｇｈ  Ｄｅｆｉｎｉｔｉｏｎ  Ｔｅｌｅｖｉｓｉｏｎ）等の通信を行う場合には、５ＧＨｚ帯域を使用する事が適している。
【０００７】
しかし、ＡＰ（Ａｃｃｅｓｓ  Ｐｏｉｎｔ）が２．４ＧＨｚ帯及び５ＧＨｚ帯の両方を使用可能だとしても、ＡＰに定められた通信帯域の初期設定値が２．４ＧＨｚ帯であれば、ユーザがＷｅｂＧＵＩ（Ｗｅｂ  Ｇｒａｐｈｉｃａｌ  Ｕｓｅｒ  Ｉｎｔｅｒｆａｃｅ）等で初期設定値を変更する操作を行わない限り、ＡＰと無線子機との間で２．４ＧＨｚ帯の通信帯域を優先して使用してしまうという欠点がある。
【０００８】
このことから、２．４ＧＨｚ帯及び５ＧＨｚ帯を使用可能な同時動作無線ＬＡＮ装置であっても、自動的に選択された２．４ＧＨｚ帯の通信帯域を使用するため、壁や障害物からの電波反射により通信可能範囲や通信品質、通信速度が大きく変化することになる。
【０００９】
図４にＡＰと無線子機との接続処理の一例を示すシーケンス図を示す。また、図５に、図４のステップＳ１７及びＳ１８の具体的な処理例を示すフローチャートを示す。
【００１０】
図５に示すように、一般的に無線子機は、ＡＰとの接続情報の通信を開始すると（ステップＳ１７）、受信したパラメータが２．４ＧＨｚ帯を示すか否かを判断し（ステップＳ１７−１）、２．４ＧＨｚ帯であると判断すれば、２．４ＧＨｚ帯で無線通信を開始する（ステップＳ１８−１）。
【００１１】
また、ステップＳ１７−１で２．４ＧＨｚ帯でないと判断した場合に、無線子機は、受信したパラメータが５ＧＨｚ帯を示すか否かを判断する（ステップＳ１７−２）。そして、５ＧＨｚ帯を示すと判断した場合に、無線子機は、５ＧＨｚ帯で無線通信を開始する（ステップＳ１８−２）。
【００１２】
５ＧＨｚ帯を優先するために、図５において２．４ＧＨｚ帯の判断ステップと５ＧＨｚ帯の判断ステップとを入れ替えて５ＧＨｚ帯の判断処理を先に実行するようにすることも考えられる。しかし、図５に示す２．４ＧＨｚ帯と５ＧＨｚ帯との判断順序を変えただけでは、ＩＥＥＥ８０２．１１ｂ／ｇ等を用いた２．４ＧＨｚ帯の通信のみが使用可能なレガシー機で接続する際には、処理能力の低いレガシー機が判断に時間を要することになる。そのため、最適ではないフローとなってしまうため、無線子機がレガシー機である場合には適さない。
【００１３】
一般的な手法では、無線子機で優先的に使用する通信帯域を予め設定をしたとしても、ＡＰ側での初期設定が優先されるため、５ＧＨｚ帯を使用する事が出来ない。
【００１４】
また、特許文献１に記載された方法では、「現在使用されている周波数帯」と「起動要求イベントが発生した無線アプリケーションで使用される周波数帯」とを、移動通信端末が比較し、同じであれば移動通信端末が異なる帯域に移動し、異なる場合には移動通信端末がそのままの帯域を使用する。
【００１５】
しかし、特許文献１に記載されたシステムでは、基地局は、元々使用していた帯域を使用し続け、移動通信端末のみが「無線アプリケーションの周波数帯」を比較して異なる帯域に移動するにすぎない。
【００１６】
つまり、移動通信端末のみの動作にすぎず、基地局は判定をして動作をしない。そのため、ＡＰの初期設定に基づいて接続を開始することに変わりはない。
【００１７】
そこで、本発明は、無線子機がレガシー機である場合にも対応しつつ、無線環境における雑音や干渉、障害物に対する反射等の影響を防止することができる通信帯域選択システム、通信帯域選択装置及び通信帯域選択方法を提供することを目的とする。
【課題を解決するための手段】
【００１８】
本発明による通信帯域選択システムは、無線ＬＡＮシステムにおいて子機が優先的に使用する優先周波数帯を特定する優先周波数帯特定手段と、親機が使用している使用周波数帯を特定する使用周波数帯特定手段と、優先周波数帯特定手段が特定した優先周波数帯と、使用周波数帯特定手段が特定した使用周波数帯とが合致するか否かを判定する周波数帯判定手段と、周波数帯判定手段の判定結果に基づいて使用する周波数帯を選択する周波数帯選択手段とを含むことを特徴とする。
【００１９】
本発明による通信帯域選択装置は、無線ＬＡＮシステムにおいて子機が優先的に使用する優先周波数帯を特定する優先周波数帯特定手段と、親機が使用している使用周波数帯を特定する使用周波数帯特定手段と、優先周波数帯特定手段が特定した優先周波数帯と、使用周波数帯特定手段が特定した使用周波数帯とが合致するか否かを判定する周波数帯判定手段と、周波数帯判定手段の判定結果に基づいて使用する周波数帯を選択する周波数帯選択手段とを備えたことを特徴とする。
【００２０】
本発明による通信帯域選択方法は、無線ＬＡＮシステムにおいて子機が優先的に使用する優先周波数帯を特定し、親機が使用している使用周波数帯を特定し、特定した優先周波数帯と、特定した使用周波数帯とが合致するか否かを判定し、判定結果に基づいて使用する周波数帯を選択することを特徴とする。
【発明の効果】
【００２１】
本発明によれば、無線子機がレガシー機である場合にも対応しつつ、無線環境における雑音や干渉、障害物に対する反射等の影響を防止することができる。
【図面の簡単な説明】
【００２２】
【図１】本発明による通信帯域選択方法を適用した無線ＬＡＮシステムの構成例を示すブロック図である。
【図２】無線子機４の構成例を示すブロック図である。
【図３】無線通信部４１の構成例を示すブロック図である。
【図４】ＡＰと無線子機との接続処理の一例を示すシーケンス図である。
【図５】ＡＰと無線子機との接続処理の一例を示すフローチャートである。
【図６】通信帯域選択システムが実行する処理例を示す流れ図である。
【図７】通信帯域選択システムが実行する処理例を示す流れ図である。
【図８】通信帯域選択システムの最小の構成例を示すブロック図である。
【発明を実施するための形態】
【００２３】
以下、本発明の実施形態について図面を参照して説明する。図１は、本発明による通信帯域選択方法を適用した無線ＬＡＮシステムの構成例を示すブロック図である。図１に示すように、無線ＬＡＮシステムは、ルータ２と、アクセスポイント３（無線親機）と、無線子機４と、ＴＶ（テレビジョン受信機）５とを含む。また、アクセスポイント３は、ルータ２を介してＩＰネットワーク１に接続される。また、アクセスポイント３と無線子機４とは、無線通信で相互に通信可能である。また、図１に示す例では、１台のアクセスポイントが設置されているが、複数台設置されていてもよい。以降、無線ＬＡＮ装置という語を用いるが、具体的にはアクセスポイントや無線子機のことである。
【００２４】
図２は、無線子機４の構成例を示すブロック図である。図２に示すように、無線子機４は、無線通信部４１と、帯域制御部４２と、メモリ４３と、帯域選択部４４と、アンテナ４５とを含む。
【００２５】
無線通信部４１は、アンテナ４５を介して無線通信を行う機能を備えている。制御部４２は、メモリ４３が格納する情報に基づいて、各部の動作を制御する機能を備えている。
【００２６】
メモリ４３は、通信帯域の制御に用いる情報を格納する。メモリ４３は、例えば、予め定められた優先的に使用する通信帯域を示す優先設定情報や、現在使用中の通信帯域を示す使用帯域情報を格納する。
【００２７】
帯域選択部４４は、アクセスポイント３から受信したパラメータやメモリ４３が格納する情報に基づいて、使用する通信帯域を選択する機能を備えている。
【００２８】
なお、無線通信部４１や帯域選択部４４は、例えば、情報処理装置のＣＰＵがプログラムに従って動作することによって実現されてもよい。
【００２９】
図３は、図２の無線通信部４１の構成例を示すブロック図である。図３に示すように、無線通信部４１は、ＢＳＳＩＤ等を指定して通信帯域を選択する無線選択部４１３と、２．４ＧＨｚ帯で通信する２．４ＧＨｚ帯ブロック４１１と、５ＧＨｚ帯で通信する５ＧＨｚ帯ブロック４１２とを含む。
【００３０】
次に、通信帯域選択システムの動作について図２、図４及び図６を用いて説明する。図４は、ＡＰと無線子機との接続処理の一例を示すシーケンス図である。図６は、通信帯域選択システムが実行する処理例を示す流れ図である。
【００３１】
無線子機４とアクセスポイント３との接続を確立するために、ユーザは、アクセスポイント３で暗号化を無効にする操作を行うとともに、無線子機４でアクセスポイント３をサーチする操作を行う。すると、無線子機４は、ユーザの操作に従って、２．４ＧＨｚ帯でのスキャンを実行し、その結果から、暗号化「有効」から「無効」に変化したアクセスポイントをサーチする。そして、無線子機４は、暗号化「無効」に変化したアクセスポイント３への接続を行う（図４のステップＳ１１）。
【００３２】
すると、暗号化「無効」のアクセスポイント３は、無線子機４にＢＳＳＩＤ（Ｂａｓｉｃ  Ｓｅｒｖｉｃｅ  Ｓｅｔ  Ｉｄｅｎｔｉｆｉｅｒ＝ＭＡＣアドレス）を通知し、さらにサポートする通信速度を通知する（図４のステップＳ１２）。
【００３３】
次いで、無線子機４が認証を依頼し（図４のステップＳ１３）、アクセスポイント３が認証ＯＫを返す（図４のステップＳ１４）。具体的には、無線子機４が認証要求とともに、認証用の情報をアクセスポイント３に送信すると、アクセスポイント３は、受信した認証用の情報に基づいて認証処理を実行し、処理結果を無線子機４に送信する。
【００３４】
次いで、無線子機４は、アクセスポイント３に接続要求を送信する（図４のステップＳ１５）。次いで、接続要求を受信したアクセスポイント３は、接続許可を示す情報を無線子機４に送信する（図４のステップＳ１６）。
【００３５】
次いで、アクセスポイント３と無線子機４とは、２．４ＧＨｚ帯及び５ＧＨｚ帯の接続情報や通信に必要な各種情報（例えば、チャネルを示す情報など）を互いに送受信して交換する（図４のステップＳ１７）。その後、無線子機４は、受信した接続情報に基づいて、アクセスポイント３に接続する（図４のステップＳ１８）。
【００３６】
図６は、本実施形態において図４のステップＳ１７及びＳ１８における周波数帯を選択する処理の処理例を示すフローチャートである。具体的には、帯域選択部４４が２．４ＧＨｚ帯または５ＧＨｚ帯から選択した通信帯域を示す無線のパラメータをメモリ４３に格納し、無線通信部４１は、メモリ４３に格納されたパラメータに基づいて無線通信を行う。
【００３７】
なお、本実施形態では、「第１エレメント」とは、図６のステップＳ２１で受信したパラメータが示す通信帯域（２．４ＧＨｚ帯または５ＧＨｚ帯）のことを示す。また、「第２エレメント」とは、「第１エレメント」で使用していない側の通信帯域のことを示す。すなわち、現在の通信で使用している通信帯域を「第１エレメント」といい、使用していない通信帯域を「第２エレメント」という。具体的には、「第１エレメント」で２．４ＧＨｚ帯を使用している場合には、「第２エレメント」が５ＧＨｚ帯となり、「第１エレメント」で５ＧＨｚ帯を使用している場合には、「第２エレメント」が２．４ＧＨｚ帯となる。以下、エレメントを取得するとの表現を用いるが、具体的には、無線子機４が使用する通信帯域を選択するとともに、選択した通信帯域を示す情報をアクセスポイント３に送信し、アクセスポイント３が受信した情報に基づいて無線子機４との通信設定を行うことをいう。
【００３８】
図４のステップＳ１７に相当する処理として、最初に無線子機４は、アクセスポイント３から２．４ＧＨｚ帯及び５ＧＨｚ帯の接続情報を受信する（図６のステップＳ２１）。
【００３９】
次いで、無線子機４は、２．４ＧＨｚ帯及び５ＧＨｚ帯の優先設定を、無線子機４が内蔵する優先する通信帯域を確認するために用いられるＳＷ（Ｓｗｉｔｃｈ）で確認する（図６のステップＳ２２）。また、例えば、無線子機４の帯域選択部４４は、メモリ４３が格納する優先設定情報を抽出し、優先する通信帯域が２．４ＧＨｚ帯または５ＧＨｚ帯のいずれであるか判断する。
【００４０】
優先する通信帯域が２．４ＧＨｚ帯の場合には、無線子機４は、接続中の通信帯域を確認する（図６のステップＳ２３）。具体的には、帯域選択部４４は、アクセスポイント３から受信したパラメータが、２．４ＧＨｚ帯または５ＧＨｚ帯のいずれを示しているかを判断する。
【００４１】
次いで、接続中の通信帯域が２．４ＧＨｚ帯であれば、無線子機４は、第１エレメントを取得する（図６のステップＳ２５）。その後、無線子機４は、２．４ＧＨｚ帯を使用してアクセスポイント３に接続する（図４のステップＳ１８）。この場合、アクセスポイント３は、周波数帯の切替を行わずに、そのまま通信を継続する。
【００４２】
また、ステップＳ２３で接続中の通信帯域を確認した結果、５ＧＨｚ帯であれば、無線子機４は、第２エレメントが存在するか否かを判断する（図６のステップＳ２５）。
【００４３】
そして、第２エレメントが存在すると判断した場合には、無線子機４は、第２エレメントを取得する（図６のステップＳ２７）。その後、無線子機４は、２．４ＧＨｚ帯を使用してアクセスポイント３に接続する（図４のステップＳ１８）。この場合、アクセスポイント３は、第２エレメントを選択した旨の情報を無線子機４から受信して、周波数帯の切替を行う。この処理により、アクセスポイント３と無線子機４とで一体的に子機の設定を優先することができる。
【００４４】
また、ステップＳ２５で第２エレメントが存在しないと判断した場合には、無線子機４は、第１エレメントを取得する（図６のステップＳ２６）。その後、無線子機４は、５ＧＨｚ帯を使用してアクセスポイント３に接続する（図４のステップＳ１８）。
【００４５】
また、ステップＳ２２において、優先する通信帯域が５ＧＨｚ帯である場合には、無線子機４は、接続中の通信帯域を確認する（ステップＳ２４）。具体的には、帯域選択部４４は、アクセスポイント３から受信したパラメータが、２．４ＧＨｚ帯または５ＧＨｚ帯のいずれであるか判断する。
【００４６】
次いで、接続中の通信帯域が５ＧＨｚ帯であれば、無線子機４は、第１エレメントを取得する（図６のステップＳ２６）。その後、無線子機４は、５ＧＨｚ帯を使用してアクセスポイント３に接続する（図４のステップＳ１８）。この場合、アクセスポイント３は、周波数帯の切替を行わずに、そのまま通信を継続する。
【００４７】
また、接続中の通信帯域が２．４ＧＨｚ帯の場合には、無線子機４は、第２エレメントが存在するか否か（すなわち、５ＧＨｚ帯を使用できるか否か）を判断する（図６のステップＳ２５）。
【００４８】
次いで、第２エレメントが存在すると判断した場合には、無線子機４は、第２エレメントを取得する（図６のステップＳ２７）。その後、無線子機４は、５ＧＨｚ帯を使用してアクセスポイント３に接続する（図４のステップＳ１８）。この場合、アクセスポイント３は、第２エレメントを選択した旨の情報を無線子機４から受信して、周波数帯の切替を行う。この処理により、アクセスポイント３と無線子機４とで一体的に子機の設定を優先することができる。
【００４９】
また、ステップＳ２５において、第２エレメントが存在しない（すなわち、５ＧＨｚ帯を使用できない）と判断した場合には、無線子機４は、第１エレメントを取得する（図６のステップＳ２６）。その後、無線子機４は、２．４ＧＨｚ帯を使用してアクセスポイント３に接続する（図４のステップＳ１８）。
【００５０】
以上のように、本実施形態では、無線子機４が保持する２．４ＧＨｚ帯及び５ＧＨｚ帯の優先設定情報を確認し、優先設定情報に基づいて使用する通信帯域を選択する。従って、ＡＰ側の初期設定よりも無線子機の設定を優先して通信帯域を選択することができ、無線環境において雑音や干渉、障害物に対する反射等の影響から、ＨＤＴＶ等に適した５ＧＨｚ帯域を使用して通信することができる。
【００５１】
また、本実施形態では、図５の２．４ＧＨｚ帯と５ＧＨｚ帯の判断順序を変えるだけでなく、優先設定の通信帯域を確認する事によって、２．４ＧＨｚ帯の通信のみが可能なレガシー機にも対応しつつ、無線環境における雑音や干渉、障害物に対する反射等の影響を防止することができる。
【００５２】
次に、図６に示す処理の後に続く制御フローチャートを図７に示す。本実施形態では、無線子機４は、図６に示すステップＳ２２（ＳＷ確認）で２．４ＧＨｚ帯及び５ＧＨｚ帯の優先設定を確認し、使用帯域情報をメモリ４３に格納する（図７のステップＳ３１）。そして、無線子機４は、優先設定情報に基づいて２．４ＧＨｚ帯または５ＧＨｚ帯で通信を行う。
【００５３】
しかし、通信途中には使用している通信帯域を変更しないため、使用している途中で外部環境の変化により通信速度が著しく低下する可能性がある。そこで、本実施形態では、ＷｅｂＧＵＩ上（ＴＶ５）に使用する通信帯域のＲａｔｅを表示するように制御し（図７のステップＳ３２）、ユーザが２．４ＧＨｚ帯又は５ＧＨｚのいずれの帯域を使用するか選択できるようにする。
【００５４】
ユーザが使用する通信帯域の変更操作（再試行）を行うと（図７のステップＳ３４）、無線子機４は、ユーザの操作に従って（図７のステップＳ３４）、使用する通信帯域を選択する（図７のステップＳ３４又はステップＳ３６）。その後、無線子機４は、変更後の通信帯域のＲａｔｅをＷｅｂＧＵＩ上（ＴＶ５）に表示するように制御する（図７のステップＳ３７）。
【００５５】
以上のように、本実施形態では、現在の使用している通信帯域のＲａｔｅをＷｅｂ  ＧＵＩ上に表示し、ユーザが２．４ＧＨｚ帯又は５ＧＨｚのどちらの通信帯域を使用するか、もしくは現状のままとするかを判断することができる。
【００５６】
以上のことから、本発明は、次のような特徴を備えているといえる。
【００５７】
本発明は、ＩＥＥＥ８０２．１１で定義された各無線技術を用いて通信を行う無線ＬＡＮ装置において、２．４ＧＨｚ帯及び５ＧＨｚ帯の同時動作無線ＬＡＮ装置より子機側の２．４ＧＨｚ帯及び５ＧＨｚ帯の優先設定を確認し、通信する事を特徴としている。
【００５８】
次に、本発明による通信帯域選択システムの最小構成について説明する。図８は、通信帯域選択システムの最小の構成例を示すブロック図である。図８に示すように、通信帯域選択システムは、最小の構成要素として、優先周波数帯特定手段１００と、使用周波数帯特定手段１０１と、周波数帯判定手段１０２と、周波数帯選択手段１０３とを含むことを特徴とする。
【００５９】
図８に示す最小構成の通信帯域選択システムでは、優先周波数帯特定手段１００は、無線ＬＡＮシステムにおいて子機が優先的に使用する優先周波数帯を特定する。次いで、使用周波数帯特定手段１０１は、親機が使用している使用周波数帯を特定する。次いで、周波数帯判定手段１０２は、優先周波数帯特定手段１００が特定した優先周波数帯と、使用周波数帯特定手段１０１が特定した使用周波数帯とが合致するか否かを判定する。次いで、周波数帯選択手段１０３は、周波数帯判定手段１０２の判定結果に基づいて使用する周波数帯を選択する。
【００６０】
従って、最小構成の通信帯域選択システムによれば、ＡＰ側の初期設定よりも無線子機の設定を優先して通信帯域を選択することができ、２．４ＧＨｚ帯の通信のみが使用可能なレガシー機にも対応しつつ、無線環境における雑音や干渉、障害物に対する反射等の影響を防止することができる。
【００６１】
なお、本実施形態では、以下の（１）〜（５）に示すような通信帯域選択システムの特徴的構成が示されている。
【００６２】
（１）通信帯域選択システムは、無線ＬＡＮシステムにおいて子機（例えば、無線子機４）が優先的に使用する優先周波数帯（例えば、５ＧＨｚ帯）を特定する優先周波数帯特定手段（例えば、帯域選択部４４によって実現される）と、親機（例えば、アクセスポイント３）が使用している使用周波数帯（例えば、２．４ＧＨｚ帯など）を特定する使用周波数帯特定手段（例えば、帯域選択部４４によって実現される）と、優先周波数帯特定手段が特定した優先周波数帯と、使用周波数帯特定手段が特定した使用周波数帯とが合致するか否かを判定する（例えば、ステップＳ２３、Ｓ２４）周波数帯判定手段（例えば、帯域選択部４４によって実現される）と、周波数帯判定手段の判定結果に基づいて使用する周波数帯を選択する周波数帯選択手段（例えば、帯域選択部４４によって実現される）とを含むことを特徴とする。
【００６３】
（２）通信帯域選択システムにおいて、周波数帯選択手段は、周波数帯判定手段が合致すると判定した場合に、周波数帯の切替を行わずに親機が使用している使用周波数帯域をそのまま選択するように構成されていてもよい。
【００６４】
（３）通信帯域選択システムにおいて、周波数帯選択手段は、周波数帯判定手段が合致しないと判定した場合に、親機が使用していない周波数帯（例えば、第２エレメント）を選択する（例えば、ステップＳ２７）ように構成されていてもよい。
【００６５】
（４）通信帯域選択システムにおいて、周波数帯選択手段が選択した周波数帯を表示部（例えば、ＷｅｂＧＵＩ上やＴＶ５に表示する）に表示するように制御する表示制御手段を含むように構成されていてもよい。
【００６６】
（５）通信帯域選択システムにおいて、周波数帯選択手段が選択した周波数帯をユーザの操作に従って（例えば、ステップＳ３３）変更する（例えば、ステップＳ３５又はＳ３６）周波数帯変更手段（例えば、帯域選択部４４によって実現される）を含み、表示制御手段は、周波数帯変更手段が変更した周波数帯を表示部に表示するように制御するように構成されていてもよい。
【００６７】
上記の実施形態の一部又は全部は、以下の付記のようにも記載され得るが、以下には限られない。
【００６８】
（付記１）無線ＬＡＮシステムにおいて子機が優先的に使用する優先周波数帯を特定する優先周波数帯特定手段と、親機が使用している使用周波数帯を特定する使用周波数帯特定手段と、前記優先周波数帯特定手段が特定した前記優先周波数帯と、前記使用周波数帯特定手段が特定した前記使用周波数帯とが合致するか否かを判定する周波数帯判定手段と、前記周波数帯判定手段の判定結果に基づいて使用する周波数帯を選択する周波数帯選択手段とを含むことを特徴とする通信帯域選択システム。
【００６９】
（付記２）周波数帯選択手段は、周波数帯判定手段が合致すると判定した場合に、周波数帯の切替を行わずに親機が使用している使用周波数帯域をそのまま選択する付記１記載の通信帯域選択システム。
【００７０】
（付記３）周波数帯選択手段は、周波数帯判定手段が合致しないと判定した場合に、親機が使用していない周波数帯を選択する付記１又は付記２記載の通信帯域選択システム。
【００７１】
（付記４）周波数帯選択手段が選択した周波数帯を表示部に表示するように制御する表示制御手段を含む付記１から付記３のうちのいずれかに記載の通信帯域選択システム。
【００７２】
（付記５）周波数帯選択手段が選択した周波数帯をユーザの操作に従って変更する周波数帯変更手段を含み、表示制御手段は、前記周波数帯変更手段が変更した周波数帯を表示部に表示するように制御する付記１から付記４のうちのいずれかに記載の通信帯域選択システム。
【００７３】
（付記６）無線ＬＡＮシステムにおいて子機が優先的に使用する優先周波数帯を特定する優先周波数帯特定手段と、親機が使用している使用周波数帯を特定する使用周波数帯特定手段と、前記優先周波数帯特定手段が特定した前記優先周波数帯と、前記使用周波数帯特定手段が特定した前記使用周波数帯とが合致するか否かを判定する周波数帯判定手段と、前記周波数帯判定手段の判定結果に基づいて使用する周波数帯を選択する周波数帯選択手段とを備えたことを特徴とする通信帯域選択装置。
【００７４】
（付記７）周波数帯選択手段は、周波数帯判定手段が合致すると判定した場合に、周波数帯の切替を行わずに親機が使用している使用周波数帯域をそのまま選択する付記６記載の通信帯域選択システム。
【００７５】
（付記８）無線ＬＡＮシステムにおいて子機が優先的に使用する優先周波数帯を特定し、親機が使用している使用周波数帯を特定し、特定した前記優先周波数帯と、特定した前記使用周波数帯とが合致するか否かを判定し、判定結果に基づいて使用する周波数帯を選択することを特徴とする通信帯域選択方法。
【００７６】
（付記９）特定した優先周波数帯と、特定した使用周波数帯とが合致すると判定した場合に、周波数帯の切替を行わずに親機が使用している使用周波数帯域をそのまま選択する付記８記載の通信帯域選択方法。
【産業上の利用可能性】
【００７７】
本発明は、無線通信を制御する用途に適用可能である。
【符号の説明】
【００７８】
１  ＩＰネットワーク
２  ルータ
３  アクセスポイント
４  無線子機
４１  無線通信部
４１１  ２．４ＧＨｚ帯ブロック
４１２  ５ＧＨｚ帯ブロック
４１３  無線選択部
４２  制御部
４３  メモリ
４４  帯域選択部
４５  アンテナ
５  ＴＶ
１００  優先周波数帯特定手段
１０１  使用周波数帯特定手段
１０２  周波数帯判定手段
１０３  周波数帯選択手段
【図１】
2011228988.tif 000003
【図２】
2011228988.tif 000004
【図３】
2011228988.tif 000005
【図４】
2011228988.tif 000006
【図５】
2011228988.tif 000007
【図６】
2011228988.tif 000008
【図７】
2011228988.tif 000009
【図８】
2011228988.tif 000010